(57)【要約】【課題】車両用のスイッチ装置が被水した際に、スイッチ装置に付着した液体の経路を特定しやすくすることを目的とする。【解決手段】スイッチ部材１３と、該スイッチ部材１３に接続されるコネクター部１５と、該コネクター部１５を囲うケース１４と、を備え、前記ケース１４の外周部１４ａの開口端部１４ｄは、車両に取り付けられた状態で、重力方向Ｇに対して傾斜した端面２１または、重力方向に対して傾斜した曲面を備える。【選択図】図３
2020161417.tif 000002
【特許請求の範囲】
【請求項１】
スイッチ部材と、
該スイッチ部材に接続されるコネクター部と、
該コネクター部を囲うケースと、を備え、
該ケースの外周部の開口端部は、車両に取り付けられた状態で、重力方向に対して傾斜した斜面または、重力方向に対して傾斜した曲面を備えることを特徴とする車両用スイッチ装置。
【請求項２】
前記開口端部は、
前記開口端部の縁部に第１の高さ位置と、
前記第１の高さ位置と異なる第２の高さ位置とを備え、
前記第１の高さ位置から前記第２の高さ位置にかけて前記斜面または、前記曲面を備えることを特徴とする請求項１に記載の車両用スイッチ装置。
【請求項３】
前記斜面または、前記曲面は、前記ケースの肉厚方向において内側から外側に、且つ前記ケースの開口方向へ延びることを特徴とする、請求項１または２に記載の車両用スイッチ装置。
【発明の詳細な説明】
【技術分野】
【０００１】
本発明は、車両用スイッチ装置に関する。
【背景技術】
【０００２】
従来、車両に取り付けられるスイッチ装置において、水滴などの液体の影響を低減するものが知られている（例えば、特許文献１を参照）。
【先行技術文献】
【特許文献】
【０００３】
【特許文献１】特開２００５−７８８５２号公報
【発明の概要】
【発明が解決しようとする課題】
【０００４】
これはスイッチ装置の内部構造により、スイッチ装置の内部に浸水があった場合に電気的な短絡を防ぐものである。
しかし、スイッチ装置の表面に液体が付着した場合には、付着した液体がどのような経路を通るか予測することが困難である。
本発明は、上述した事情に鑑みてなされたものであり、車両用のスイッチ装置が被水した際に、スイッチ装置に付着した液体の経路を特定しやすくすることを目的とする。
【課題を解決するための手段】
【０００５】
上記課題を解決する一態様は、スイッチ部材と、該スイッチ部材に接続されるコネクター部と、該コネクター部を囲うケースと、を備え、該ケースの外周部の開口端部は、車両に取り付けられた状態で、重力方向に対して傾斜した斜面または、重力方向に対して傾斜した曲面を備えることを特徴とする。
【０００６】
上記スイッチ装置において、前記開口端部は、前記開口端部の縁部に第１の高さ位置と、前記第１の高さ位置と異なる第２の高さ位置とを備え、前記第１の高さ位置から前記第２の高さ位置にかけて前記斜面または、前記曲面を備えても良い。
【０００７】
上記スイッチ装置において、前記斜面または、前記曲面は、前記ケースの肉厚方向において内側から外側に、且つ前記ケースの開口方向へ延びても良い。
【発明の効果】
【０００８】
本発明に係る車両用スイッチ装置によれば、スイッチ装置が被水した際に、スイッチ装置に付着した液体の経路を特定しやすくなる。
【図面の簡単な説明】
【０００９】
【図１】車両室内を示す斜視図である。
【図２】スイッチ装置の斜視図。
【図３】スイッチ装置の側面図。
【図４】図１におけるＩＩＩ−ＩＩＩ線断面図。
【図５】第１の変形例であるスイッチ装置を示す図。
【図６】第２の変形例であるスイッチ装置を示す図。
【図７】第３の変形例であるスイッチ装置を示す図。
【発明を実施するための形態】
【００１０】
以下、図面を参照して本発明の実施形態について説明する。図中、符号Ｕｐは上方を、符号Ｗ１、符号Ｗ２は幅方向をそれぞれ示す。また、上下方向は重力方向Ｇと一致する。
【００１１】
図１は車両室内を示す斜視図である。
自動車の車両室内には、インストルメントパネル６１が設けられる。インストルメントパネル６１には、各種スイッチ装置が配置される。インストルメントパネル６１の中央部には、上からハザードランプ６２、エアコンスイッチ６３、シフトスイッチ６４および走行モード選択スイッチ６５が設けられる。また、インストルメントパネル６１の運転席側の部分には、エンジンスイッチ６６が設けられる。そして、運転席側ドア６７のアームレスト６８には、パワーウインドスイッチ６９が設けられ、助手席側ドア７０のアームレスト７１には、パワーウインドスイッチ７２が設けられる。
本実施形態のスイッチ装置１１は、水平面のパネルに取り付けられるスイッチ類に適用可能であり、シフトスイッチ６４、走行モード選択スイッチ６５、パワーウインドスイッチ６９、パワーウインドスイッチ７２に適用可能である。
【００１２】
また、本実施形態のスイッチ装置１１は、傾斜した面のパネルに取り付けられるスイッチ類に適用可能であり、ハザードランプ６２、エアコンスイッチ６３、エンジンスイッチ６６に適用可能である。
【００１３】
図２はスイッチ装置１１の斜視図である。図３は、スイッチ装置１１の概念を示す側面図である。そして、図４は図３におけるＩＶ−ＩＶ線断面図である。
スイッチ装置１１は、図２に示すように、操作部１２、スイッチ部材１３、ケース１４、コネクター部１５、固定部１６を備える。
スイッチ部材１３は、ケース１４の内側に配置されている。固定部１６はスナップイン式の固定部材であり、図３に示すように、ケース１４の両側に配置される。インストルメントパネル６１には、貫通孔８１があけられており、この貫通孔８１に、インストルメントパネル６１の表面側からスイッチ装置１１を押し入れる。そして、一対の固定部１６によりスイッチ装置１１をインストルメントパネル６１に固定する。
スイッチ装置１１にはケーブル３０が接続される。スイッチ装置１１の操作がケーブル３０を介して、図示しない車載装置に伝達される。
【００１４】
スイッチ部材１３には、コネクター部１５が接続される。コネクター部１５はスイッチ部材１３と一体的に形成される。
本実施形態においては、スイッチ部材１３の上部に操作部１２が接続し、スイッチ部材１３の下部にコネクター部１５が接続される。
また、操作部１２をスイッチ部材１３の側部に設け、コネクター部１５をスイッチ部材１３の下部に設けてもよい。
【００１５】
コネクター部１５には、ケーブル３０が接続される。
ケーブル３０の端子３１がコネクター部１５に挿入されることにより、ケーブル３０とスイッチ部材の図示しない電気的な接点が、電気的に接続される。ケーブル３０は図示しない車載装置等に接続され、スイッチ装置１１の操作が電気的に取り出され、ケーブル３０を介して、車載装置等に伝達される。
【００１６】
ケース１４はスイッチ部材１３を覆うとともに、コネクター部１５の一部を覆う。ケース１４内にスイッチ部材１３が配置され、ケース１４にスイッチ部材１３が一体的に固定される。ケース１４の外周部１４ａはスイッチ部材１３を囲うとともに、コネクター部１５のスイッチ部材１３との接続部１５ａを囲う。
外周部１４ａは、下端部に開口端部１４ｄを有する。外周部１４ａは、２つの外側面１４ｂと２つの外側面１４ｃとを有する。外側面１４ｂと外側面１４ｃとは隣接し、外側面１４ｃに固定部１６が設けられる。外側面１４ｂの下端部と外側面１４ｃの下端部とにより、開口端部１４ｄが形成される。
【００１７】
ケース１４は、コネクター部１５が開口端部１４ｄの開口に挿入されるように形成される。コネクター部１５とケース１４との間には隙間１７が形成される。
開口端部１４ｄにおいて、コネクター部１５は開口端部１４ｄの開口方向に延出される。本実施形態においては、開口端部１４ｄは下方に開口しており、コネクター部１５はスイッチ部材１３より下方に延出される。
【００１８】
開口端部１４ｄは、図３、図４に示すように、外側面１４ｂの下端部の縁部１４ｅと外側面１４ｃの縁部１４ｇを有する。縁部１４ｅは、外側面１４ｂの幅方向の全域に渡り設けられる。縁部１４ｅは、幅方向の中央部が高く側部が低い逆Ｖ字状に形成される。縁部１４ｅにおいて、最も高い位置（第１の高さ位置）が位置Ｐ１であり、最も低い位置（第２の高さ位置）が位置Ｐ２である。
位置Ｐ２は、縁部１４ｅの両側に現れ、同じ高さに位置する。外側面１４ｃの縁部１４ｇは直線状であり、高さが一定に形成される。
【００１９】
縁部１４ｅにおいて、位置Ｐ１と位置Ｐ２の間の形状は、重力方向Ｇに対して傾斜した直線的な形状となる。ケース１４の外側面１４ｂに付着した液体は、重力方向Ｇに移動しながら、縁部１４ｅに沿って、幅方向の側部に設けた位置Ｐ２に集められる。
このように、開口端部１４ｄにより、ケース１４に付着した液体を集める部分を設けることにより、スイッチ装置１１が被水した場合の液体の経路を予測しやすくなり、スイッチ装置１１に付着した液体の対策を取りやすくなる。
【００２０】
ケース１４の開口端部１４ｄには、図４に示すように、肉厚形状部２０が形成される。肉厚形状部２０は、ケース１４の下端部の形状であり、重力方向Ｇに向けて、ケース１４の外側に向けて広がる形状である。肉厚形状部２０は、ケース１４の肉厚方向Ｄの形状により形成される。ケース１４の開口端部１４ｄは、ケース１４の内側からケース１４の外側に向けて、重力方向Ｇに延びるように形成される。位置Ｐ１と位置Ｐ２の間の形状で特定される斜面は、ケース１４の肉厚方向において内側から外側に、且つケース１４の開口方向へ延びている。
【００２１】
図４に示すように、外側面１４ｂの下端の外側に縁部１４ｅが位置し、外側面１４ｂの下端内側の縁部１４ｆが形成される。縁部１４ｅと縁部１４ｆとの間に端面２１が形成される。端面２１は重力方向Ｇに対して傾斜した面である。外側面１４ｂの側断面形状において、下端外側の縁部１４ｅは下端内側の縁部１４ｆよりも重力方向Ｇに対して下方に位置する。ここにおいて、外側面１４ｂの側断面は、外側面１４ｃの肉厚方向Ｄおよび重力方向Ｇに沿った断面である。これにより、端面２１は重力方向Ｇに向かうにつれて、コネクター部１５から液体が離れるように斜面が形成される。
外側面１４ｂに液体が付着すると、端面２１の形状により、液体は重力により下がりながら外側の縁部１４ｅに集まる。
【００２２】
外側面１４ｃにも、図２に示すように、重力方向Ｇに対して傾斜した端面２２が形成される。端面２２は外側面１４ｃの下端部に形成される。端面２２は、外側面１４ｃの下端外側の縁部１４ｇと外側面１４ｃの下端内側の縁部１４ｊとの間に形成される。
外側面１４ｃの側断面形状において、下端外側の縁部１４ｇは下端内側の縁部１４ｊよりも重力方向Ｇに位置する。外側面１４ｃの側断面は、外側面１４ｃの肉厚方向Ｄおよび重力方向Ｇに沿った断面である。端面２２は重力方向Ｇに向かうにつれて、コネクター部１５から液体が離れるように斜面が形成される。
【００２３】
ケース１４において、端面２２に端面２１が接続し、開口端部１４ｄに肉厚形状部２０が形成される。これにより、肉厚形状部２０は、ケース１４の肉厚方向において、内側から外側に、且つ開口端部１４ｄの開口方向へ向かう斜面を有する。
この肉厚形状部２０の形状により、ケース１４に付着した液体が、開口端部１４ｄおよび縁部１４ｅに集められる。縁部１４ｅに集められた液体は、縁部１４ｅに沿って縁部１４ｇに集められる。また、端面２１および端面２２は、重力方向Ｇに向かうにつれて、コネクター部１５より離れる曲面に形成してもよい。
端面２１および端面２２を曲面に形成した場合においても、ケース１４に付着した液体が、ケース１４の内側に移動し難くなる。
【００２４】
インストルメントパネル６１に取り付けられたスイッチ装置１１が被水した場合、外側面１４ｂに付着した液体は、重力により外側面１４ｂに沿って矢印Ａ４で示す方向に移動する。液体が縁部１４ｅに到達すると、液体は重力により下方に移動する。
縁部１４ｅには外側面１４ｃの縁部１４ｇが接続しており、縁部１４ｅに到達した液体は、縁部１４ｇに溜まり、重力により下方に落ちる。
【００２５】
図４に示すように、スイッチ部材１３とケース１４の間に液体が浸入した場合、肉厚形状部２０の形状により、ケース１４の外側に集められる。
スイッチ部材１３の下端は水平に形成され、ケース１４はスイッチ部材１３よりも下方に延出される。スイッチ部材１３とケース１４の間から浸みだした液体は、重力によりケース１４に沿って、下方に移動する。そして、肉厚形状部２０の形状により、矢印Ａ５で示す方向に移動し、ケース１４の外側に集められる。ケース１４の外側に集められた液体は、縁部１４ｅに沿って縁部１４ｇに溜まる。
【００２６】
このように、外側面１４ｂの縁部１４ｅを側面視において上方に凹んだ形状とすることにより、外側面１４ｂに付着した液体を幅方向に寄せることができる。スイッチ装置１１に付着した液体の経路を、ケース１４の一部に集めることにより、スイッチ装置１１に付着した液体の対策を容易にできる。例えば、ケーブル３０を、縁部１４ｇの下方を避けて配置することにより、ケーブル３０への液滴の影響を低減できる。他にも、縁部１４ｇの下方にのみ液体を排出するための経路を設ければ良いので、排水のための排水部材を減らすことができる。
また、縁部１４ｅを側面視においてコネクター部１５を跨いで形成される。縁部１４ｅは、重力方向Ｇに沿って、コネクター部１５から離れる方向に形成される。このため、縁部１４ｅに沿って液体がコネクター部１５から離れる方向に移動し、液体がコネクター部１５に与える影響を低減できる。
【００２７】
上述のスイッチ装置１１において、外側面１４ｃの下端部の形状を外側面１４ｂの下端部の形状と同様に形成してもよい。この場合には、外側面１４ｂの第２の高さ位置Ｐ２に、ケース１４に付着した液体が集められる。ケース１４に付着した液体がケース１４の４か所に集まり、ケース１４に付着した液体への対処が容易になる。
【００２８】
次に、スイッチ装置の変形例について説明する。
図５は、第１の変形例であるスイッチ装置１１ａを示す図である。図３と同一部分には同一符号を付し、その説明は省略する。
スイッチ装置１１ａは、図３と比較して、縁部１４ｅを設けた外側面１４ｂの形状が異なる。ケース１４は外側面４１と外側面１４ｃとにより構成される。
外側面１４ｃの縁部１４ｇと、外側面４１の縁部４１ａとが繋がり、コネクター部１５を囲む開口端部１４ｄが形成される。
【００２９】
縁部４１ａにおいて、位置（第１の高さ位置）Ｐ３と位置（第２の高さ位置）Ｐ４の間の形状は、重力方向Ｇに対して傾斜した曲面形状である。縁部４１ａは、位置Ｐ３から位置Ｐ４に向けて、常に下がるように形成される。このため、縁部４１ａの下端面は、重力方向Ｇに対して傾斜した曲面に形成される。外側面４１に付着した液体は、重力方向Ｇに移動しながら、縁部４１ａに沿って、位置Ｐ４に集められる。位置Ｐ３と位置Ｐ４の間の形状で特定される曲面は、ケース１４の肉厚方向において内側から外側に、且つケース１４の開口方向へ延びている。
【００３０】
外側面４１の縁部４１ａを側面視において上方に凹んだ形状とすることにより、外側面１４ｂに付着した液体を幅方向に寄せることができる。
スイッチ装置１１に付着した液体の経路を、ケース１４の一部に集めることにより、スイッチ装置１１ａに付着した液体の対策を容易にできる。このように、コネクター部１５を囲む開口端部１４ｄにより、ケース１４に付着した液体を集める部分を設けることにより、スイッチ装置１１ａが被水した場合の液体の経路を予測しやすくなり、スイッチ装置１１ａに付着した液体の対策を取りやすくなる。
【００３１】
図６は、第２の変形例であるスイッチ装置１１ｂを示す図である。
第２の変形例であるスイッチ装置１１ｂは、縁部１４ｅを設けた外側面１４ｂの形状が異なる。ケース１４は外側面４２と外側面１４ｃとにより構成される。
外側面４２の下端部には縁部４２ａが設けられる。縁部４２ａは幅方向の中央部が低く側部が高い、Ｖ字状に形成される。すなわち、外側面４２の下端部は、幅方向の中央部が下方に凸に形成されている。
【００３２】
スイッチ装置１１ｂにおいて、コネクター部１５を囲む開口端部１４ｄが、外側面１４ｃの縁部１４ｇと、外側面４２の縁部４２ａとで形成される。
縁部４２ａにおいて、幅方向の中央部の最も低い位置（第２の高さ位置）が位置Ｐ５である。幅方向の端部において最も高い位置（第１の高さ位置）が位置Ｐ６であり、縁部４１ａの幅方向の両端部にある。位置Ｐ５は位置Ｐ６の下方に位置する。縁部４２ａは位置Ｐ６において、外側面１４ｃの縁部１４ｇに接続する。
【００３３】
縁部４２ａにおいて、位置Ｐ５と位置Ｐ６の間の形状は、重力方向Ｇに対して傾斜した直線状に形成される。縁部４２ａは、位置Ｐ６から位置Ｐ５に向けて、連続的に下がるように形成される。外側面４２に付着した液体は、重力方向Ｇに移動しながら、縁部４２ａに沿って、位置Ｐ５に集められる。位置Ｐ５と位置Ｐ６の間の曲面は、ケース１４の肉厚方向で内側から外側に、且つケース１４の開口方向へ延びている。
【００３４】
コネクター部１５を囲む開口端部１４ｄにより、ケース１４に付着した液体を集める部分を設けることにより、スイッチ装置１１ｂが被水した場合の液体の経路を予測しやすくなり、スイッチ装置１１ｂに付着した液体の対策を取りやすくなる。
外側面４２の下端部は、肉厚方向において、重力方向Ｇに向うに従い、ケース１４の外側に向かう傾斜面を形成しても良い。外側面４２の内側に浸みだした液体が、外側面４２の肉厚方向において、コネクター部１５から離れる方向に移動する。コネクター部１５および端子３１が液体から保護される。
【００３５】
図７は、第３の変形例であるスイッチ装置１１ｃを示す図である。
第３の変形例であるスイッチ装置１１ｃは、縁部１４ｅを設けた外側面１４ｂの形状が異なる。ケース１４は外側面４３と外側面１４ｃとにより構成される。外側面４３の下端部には縁部４３ａが設けられる。縁部４３ａは外側面４３の幅方向の全域に渡り設けられる。縁部４３ａは幅方向の中央部が低く側部が高い、円弧状に形成される。外側面４３の下端部は、幅方向の中央部が下方に凸に形成される。
【００３６】
スイッチ装置１１ｃにおいて、コネクター部１５を囲む開口端部１４ｄが、外側面１４ｃの縁部１４ｇと、外側面４３の縁部４３ａとで形成される。
縁３２ａにおいて、幅方向の中央部の最も低い位置（第２の高さ位置）が位置Ｐ７である。そして、縁部４３ａにおいて、幅方向の端部において最も高い位置（第１の高さ位置）が位置Ｐ８であり、縁部４３ａの幅方向の両端部にある。
位置Ｐ７は位置Ｐ８の下方に位置する。縁部４３ａは位置Ｐ８において、外側面１４ｃの縁部１４ｇに接続している。
【００３７】
縁部４３ａにおいて、位置Ｐ７と位置Ｐ８の間の形状は、重力方向Ｇに対して常に位置Ｐ７に向けて下がる曲面状に形成される。縁部４３ａは、位置Ｐ７から位置Ｐ８に向けて、連続的に下がるように形成される。縁部４３ａの下端面は、重力方向Ｇに対して傾斜した曲面に形成される。外側面４３に付着した液体は、重力方向Ｇに移動しながら、縁部４３ａに沿って、位置Ｐ７に集められる。
位置Ｐ７と位置Ｐ８の間に形成される曲面は、ケース１４の肉厚方向で内側から外側に、且つケース１４の開口方向へ延びている。
【００３８】
外側面４３の縁部４３ａを側面視において下方に凸の形状とすることにより、外側面４３に付着した液体を、外側面４３の幅方向中央の位置Ｐ７に集めることができる。スイッチ装置１１ｃに付着した液体の経路を、ケース１４の一部に集めることにより、スイッチ装置１１ｃに付着した液体の対策を容易にできる。
【００３９】
コネクター部１５を囲む開口端部１４ｄにより、ケース１４に付着した液体を集める部分を設けることにより、スイッチ装置１１ｃが被水した場合の液体の経路を予測しやすくなり、スイッチ装置１１ｃに付着した液体の対策を取りやすくなる。
【００４０】
ケース１４の開口端部１４ｄには、上述のスイッチ装置１１と同様に、肉厚形状部２０が形成しても良い。外側面４３の下端部は、肉厚方向において、重力方向Ｇに向うに従い、ケース１４の外側に向かう傾斜面を形成しても良い。縁部４３ａの下端面は、重力方向Ｇに対して、外側に延びる曲面に形成される。外側面４３の内側に浸みだした液体が、外側面４３の肉厚方向において、コネクター部１５から離れる方向に移動する。そして、コネクター部１５および端子３１が液体から保護される。
【００４１】
本実施形態において、スイッチ装置１１は、ケース１４の外周部１４ａの開口端部１４ｄに、傾斜した斜面である端面２１、または、傾斜した曲面を形成した縁部４１ａを有するため、スイッチ装置１１の外周部１４ａに付着した液体が、端面２１または縁部４１ａに沿って流れる。このため、液体が流れる経路を規制して、液体の経路を一定の範囲に特定できる。これにより、スイッチ装置１１に接続するケーブル３０を液体の影響を受けない位置に配置できる。
【００４２】
また、スイッチ装置１１は、第１の高さ位置Ｐ１から、それよりも低い第２の高さ位置Ｐ２にかけて、端面２１または曲面を有するため、スイッチ装置１１に付着した液体が、縁部１４ｅに沿って移動し、端面２１または縁部４１ａに沿って流れる。このため、第１の高さ位置Ｐ１と第２の高さ位置Ｐ２の間では、液体は縁部４１ａに沿って流れ、スイッチ装置１１から落下しない。これにより、液体の経路を規制し、液体の流れる経路を一定の範囲に特定できる。
【００４３】
上述した各実施形態は、本発明の一態様を示すものに過ぎず、本発明の具体的態様および本発明の適用範囲は上記実施形態に限定されない。上記実施形態では、ケース１４において対向する外側面に、縁部１４ｅ、縁部４１ａ、縁部４２ａ、縁部４３ａを設けた。しかし、ケース１４の４つの外側面の１つないし４つに、縁部１４ｅ、縁部４１ａ、縁部４２ａ、もしくは縁部４３ａを設けても良い。また、縁部１４ｅ、縁部４１ａ、縁部４２ａ、縁部４３ａをそれぞれ設けた外側面を組み合わせて、ケース１４を形成しても良い。
【符号の説明】
【００４４】
１１  スイッチ装置
１２  操作部
１３  スイッチ部材
１４  ケース
１４ａ  外周部
１４ｂ  外側面
１４ｃ  外側面
１４ｄ  開口端部
１４ｅ  縁部
１４ｆ  縁部
１４ｇ  縁部
１４ｊ  縁部
１５  コネクター部
１６  固定部
２０  肉厚形状部
２１  端面
２２  端面
３０  ケーブル
３１  端子
Ｄ  肉厚方向
Ｇ  重力方向
Ｐ１  第１の高さ位置
Ｐ２  第２の高さ位置
【図１】
2020161417.tif 000003
【図２】
2020161417.tif 000004
【図３】
2020161417.tif 000005
【図４】
2020161417.tif 000006
【図５】
2020161417.tif 000007
【図６】
2020161417.tif 000008
【図７】
2020161417.tif 000009